(57)【要約】      （修正有）【課題】飲料ディスペンサのハウジングを安価に構成しつつ、ハウジング内の機器等の保守点検の作業性を向上させる。【解決手段】飲料ディスペンサ１０のハウジング１１は、底部を構成して冷却水槽２０と冷凍装置と設置するベース体と、左右両側面部を構成する左右一対のサイドパネル１４，１５と、前面部を構成するフロントパネル１６と、背面部を構成する背面体３２とを備え、左右一対のサイドパネルには、前端部にフロントパネルの左右方向の端部に係合する上下方向に延びる溝部１４ａ，１５ａと、後端部に背面体の後面の左右方向の端部に係止して背面体が後側に傾倒するのを防ぐ後側傾倒防止部１４ｂ，１５ｂとを有し、フロントパネルの左右方向の端部を溝部に係合させるとともに、背面体の後面の左右方向の端部を後側傾倒防止部により係止させた状態で、サイドパネルの下部をベース体に固定した。【選択図】図５
2015034039.tif 000002
【特許請求の範囲】
【請求項１】
ハウジング内に冷却水を貯える冷却水槽と同冷却水槽内の冷却水を冷却する冷凍装置とを収容し、
前記冷却水槽内には飲料を冷却する飲料冷却管を設け、飲料容器から供給された飲料を該飲料冷却管内を通過させて前記冷却水槽内の冷却水と熱交換をして冷却し、該飲料冷却管の導出端部に接続した注出コックから冷却した飲料を注出するようにした飲料ディスペンサにおいて、
前記ハウジングは、底部を構成して前記冷却水槽と前記冷凍装置と設置するベース体と、左右両側面部を構成する左右一対のサイドパネルと、前面部を構成するフロントパネルと、背面部を構成する背面体とを備え、
前記左右一対のサイドパネルには、前端部に前記フロントパネルの左右方向の端部の前面に係止して該フロントパネルが前側に傾倒するのを防ぐ前側傾倒防止部と、後端部に前記背面体の後面の左右方向の端部に係止して該背面体が後側に傾倒するのを防ぐ後側傾倒防止部とを有して、
前記フロントパネルの左右方向の端部を前記左右一対のサイドパネルの前側傾倒防止部に係止させるとともに、前記背面体の後面の左右方向の端部を前記後側傾倒防止部により係止させた状態で、前記左右一対のサイドパネルの下部を前記ベース体に固定したことを特徴とする飲料ディスペンサ。
【請求項２】
請求項１に記載の飲料ディスペンサにおいて、
前記前側傾倒防止部または前記後側傾倒防止部の一方を前記左右一対のサイドパネルに形成した上下方向に延びる溝部とし、該溝部に前記フロントパネルの左右方向の端部または前記背面体の左右方向の端部を係合させるようにしたことを特徴とする飲料ディスペンサ。
【請求項３】
請求項１または２に記載の飲料ディスペンサにおいて、
前記冷却水槽の上部にはトップカバーを固定し、
前記左右一対のサイドパネルの上部を前記トップカバーに固定したことを特徴とする飲料ディスペンサ。
【請求項４】
請求項１〜３に記載の飲料ディスペンサにおいて、
前記冷凍装置の凝縮器には左右方向に蛇行させた蛇行状パイプに放熱ワイヤを固着したワイヤコンデンサを用い、このワイヤコンデンサを前記背面体に用いたことを特徴とする飲料ディスペンサ。
【請求項５】
請求後１〜４の何れか１項に記載の飲料ディスペンサにおいて、
前記左右一対のサイドパネルは上下対称な形状をして上下対称な位置に上下一対の通気口を形成し、前記上下一対の通気口の一方にはこれを塞ぐ遮蔽板を着脱可能に取り付けたことを特徴とする飲料ディスペンサ。
【請求項６】
請求後１〜５の何れか１項に記載の飲料ディスペンサにおいて、
前記背面体を外部に対して通気可能にしたものであるときに、
前記左右一対のサイドパネルの後端部には前記背面体より後方に突出する突出部を設けたことを特徴とする飲料ディスペンサ。
【発明の詳細な説明】
【技術分野】
【０００１】
本発明は、ビール等の飲料を冷却水槽内の飲料冷却管を通過させることにより冷却し、飲料冷却管の導出端部に接続した注出コックから冷却した飲料を注出する飲料ディスペンサに関する。
【背景技術】
【０００２】
特許文献１には飲料ディスペンサが開示されている。この飲料ディスペンサは、ハウジング内に冷却水を貯える冷却水槽と同冷却水槽内の冷却水を冷却する冷凍装置とを収容し、冷却水槽内には飲料を冷却する飲料冷却管を設け、ビア樽等の飲料容器から供給された飲料を飲料冷却管内を通過させて冷却水槽内の冷却水と熱交換をして冷却し、飲料冷却管の導出端部に接続した注出コックから冷却した飲料を注出するようにしたものである。
【先行技術文献】
【特許文献】
【０００３】
【特許文献１】特開２００２−２８４２９４号公報
【発明の概要】
【発明が解決しようとする課題】
【０００４】
この飲料ディスペンサのハウジングは、底部を構成して前部に冷却水槽と後部に冷凍装置とを設置したベース体と、前面と左右側面と背面左右両端部とを構成して１枚の板金部材を折り曲げて形成した周面パネルと、背面の残る部分を構成する背面パネルと、上面を塞ぐ下側に開口した浅い箱形をしたトップパネルとからなる。このハウジングは、ベース体に周面パネルの下部をねじにより固定し、周面パネルの背面左右両端部に背面パネルをねじにより固定し、周面パネルと背面パネルの上側からトップパネルを嵌め込むようにしている。
【０００５】
この飲料ディスペンサにおいては、周面パネルは前面と左右側面と背面左右両端部とを構成して１枚の板金部材を折り曲げて形成したものであるので、曲げ金型の費用と曲げ加工に要する費用が高い問題があった。また、ハウジング内の冷凍装置等の機器を保守点検するときには、背面パネルを取り外して、ハウジングの背面から機器を保守点検するようにしていたので、ハウジングの側部に配置した部品等を保守点検しにくい問題があった。また、ハウジングの側部に配置した機器等を保守点検するために周面パネルを取り外すときには、周面パネルに固定した背面パネルを取り外し、周面パネルの前面部を挟むようにして冷却水槽に取り付けた注出コックを取り外してから、ベース体に固定した周面パネルを取り外さなければならなく、ハウジング内の機器等の保守点検をするのに作業性が悪い問題があった。本発明は、飲料ディスペンサのハウジングを安価に構成しつつ、ハウジング内の機器等の保守点検の作業性を向上させることを目的とする。
【課題を解決するための手段】
【０００６】
本発明は上記課題を解決するため、ハウジング内に冷却水を貯える冷却水槽と同冷却水槽内の冷却水を冷却する冷凍装置とを収容し、冷却水槽内には飲料を冷却する飲料冷却管を設け、飲料容器から供給された飲料を該飲料冷却管内を通過させて冷却水槽内の冷却水と熱交換をして冷却し、該飲料冷却管の導出端部に接続した注出コックから冷却した飲料を注出するようにした飲料ディスペンサにおいて、ハウジングは、底部を構成して冷却水槽と冷凍装置と設置するベース体と、左右両側面部を構成する左右一対のサイドパネルと、前面部を構成するフロントパネルと、背面部を構成する背面体とを備え、左右一対のサイドパネルには、前端部にフロントパネルの左右方向の端部の前面に係止して該フロントパネルが前側に傾倒するのを防ぐ前側傾倒防止部と、後端部に背面体の後面の左右方向の端部に係止して該背面体が後側に傾倒するのを防ぐ後側傾倒防止部とを有して、フロントパネルの左右方向の端部を左右一対のサイドパネルの前側傾倒防止部に係止させるとともに、背面体の後面の左右方向の端部を後側傾倒防止部により係止させた状態で、左右一対のサイドパネルの下部をベース体に固定したことを特徴とする飲料ディスペンサを提供するものである。
【０００７】
上記のように構成した飲料ディスペンサにおいては、左右一対のサイドパネルには、前端部にフロントパネルの左右方向の端部の前面に係止してフロントパネルが前側に傾倒するのを防ぐ前側傾倒防止部と、後端部に背面体の後面の左右方向の端部に係止して該背面体が後側に傾倒するのを防ぐ後側傾倒防止部とを有して、フロントパネルの左右方向の端部を左右一対のサイドパネルの前側傾倒防止部に係止させるとともに、背面体の後面の左右方向の端部を後側傾倒防止部により係止させた状態で、左右一対のサイドパネルの下部をベース体に固定した。これにより、フロントパネルと背面体とを左右一対のサイドパネルにより挟持した状態で、左右一対のサイドパネルをベース体に固定することにより、フロントパネルと背面体とをサイドパネルと同時にベース体に位置決め固定できるようになり、ハウジングの取り付け作業の作業性が向上した。また、左右一対のサイドパネルの少なくとも一方をベース体から取り外せば、ハウジング内の側部を大きく開放することができ、ハウジング内の機器を保守点検しやすくできた。
【０００８】
上記のように構成した飲料ディスペンサにおいては、前側傾倒防止部または後側傾倒防止部の一方を左右一対のサイドパネルに形成した上下方向に延びる溝部とし、溝部にフロントパネルまたは背面体の左右方向の端部を係合させるようにするのが好ましく、このようにしたときには、溝部よりなる傾倒防止部によりフロントパネルまたは背面体が前後に傾くことなくサイドパネルにより挟んで取り付けることができる。また、一方の傾倒防止部だけを溝部としたことで、フロントパネルまたは背面体を溝部よりなる傾倒防止部に差し込んでから、背面体またはフロントパネルを比較的余裕のある状態で残る傾倒防止部に係止させるようにすることで、左右一対のサイドパネルの間にフロントパネル及び背面体を挟持させる作業性が向上した。
【０００９】
上記のように構成した飲料ディスペンサにおいては、冷却水槽の上部にはトップカバーを固定し、左右一対のサイドパネルの上部をトップカバーに固定するのが好ましく、このようにしたときには、サイドパネルは下部がベース体に固定されるとともに上部が冷却水槽に固定したトップカバーに固定され、サイドパネルの上部が外側に撓むことなく強固に固定されるようになった。
【００１０】
上記のように構成した飲料ディスペンサにおいては、冷凍装置の凝縮器には左右方向に蛇行させた蛇行状パイプに放熱ワイヤを溶接したワイヤコンデンサを用い、このワイヤコンデンサを背面体に用いるのが好ましく、このようにしたときには、背面にパネル部材を設けたときと比べて部品点数を減らすことができるとともに、ワイヤコンデンサが外側に露出することで放熱効果を増加させることができた。
【００１１】
上記のように構成した飲料ディスペンサにおいては、左右一対のサイドパネルは上下対称な形状をして上下対称な位置に上下一対の通気口を形成し、上下一対の通気口の一方にはこれを塞ぐ遮蔽板を着脱可能に取り付けるのが好ましく、このようにしたときには、左右一対のサイドパネルを共通の部品として用いることができた。また、遮蔽板を上下一対の通気口の一方に着脱可能としたことで、設置場所等に応じて通気口を上下に変更可能とすることができた。
【００１２】
上記のように構成した飲料ディスペンサにおいては、背面体を外部に対して通気可能にしたものであるときに、左右一対のサイドパネルの後端部には背面体より後方に突出する突出部を設けるのが好ましく、このようにしたときには、ハウジングの背面体が設置場所の壁面に通気できないように密着して設置されるのを防ぐことができた。
【図面の簡単な説明】
【００１３】
【図１】本発明による飲料ディスペンサの一実施形態の斜視図である。
【図２】図１の右側のサイドパネルを取り外し、冷却水槽内が見えるようにした縦方向の一部破断断面図である。
【図３】図２の後側上部の拡大断面図である。
【図４】図２の後側下部の拡大断面図である。
【図５】図２のＡ−Ａ断面図である。
【図６】ハウジングのサイドパネルとトップパネルとを取り外した状態の斜視図である。
【発明を実施するための形態】
【００１４】
以下に、本発明による飲料ディスペンサの一実施形態を図面を参照して説明する。図１及び図２に示すように、本発明に係る飲料ディスペンサ１０は、ハウジング１１内の前部に冷却水を貯える冷却水槽２０と、後部を機械室１２として冷却水槽２０内の冷却水を冷却する冷凍装置３０とを収容したものである。冷却水槽２０の外周部には発泡剤よりなる断熱材２１が取り付けられている。冷却水槽２０内には飲料を冷却する飲料冷却管２２が設けられている。飲料冷却管２２はコイル状に巻回されており、導入端部がハウジング１１の外部に設けた図示しないビア樽等の飲料容器に接続され、導出端部がハウジング１１の前面に設けた注出コック２３に接続されている。
【００１５】
図２に示したように、冷却水槽２０には撹拌装置２４が設けられている。撹拌装置２４は、冷却水槽２０の上縁の前後方向の中間部から後部を覆うようにして左右両縁部に架設した支持板２４ａの上面に撹拌モータ２４ｂを備えている。撹拌モータ２４ｂにより回転する回転軸２４ｃは支持板２４ａを貫通してコイル状に巻回された飲料冷却管２２の中央部となる位置で冷却水槽２０内に延び、先端には冷却水を撹拌する撹拌羽根２４ｄが固定されている。撹拌モータ２４ｂにより回転軸２４ｃを回転させると、回転軸２４ｃの先端部の撹拌羽根２４ｄが冷却水槽２０内の冷却水を撹拌する。
【００１６】
図２に示したように、冷凍装置３０は、冷媒を圧縮する圧縮機３１と、圧縮した冷媒ガスを冷却する凝縮器３２と、液化冷媒を膨張させるキャピラリチューブ３３と、冷却水槽２０の内周面に巻回されて膨張させた液化冷媒を気化させて冷却水を冷却する蒸発管３４とからなり、これらを連結して冷媒が循環する冷媒回路を構成している。冷凍装置３０は、冷媒回路の冷媒を循環させることにより、冷却水槽２０内にて蒸発管３４の周囲の冷却水を冷却し、蒸発管３４の周囲に所定の厚みの氷層を形成している。
【００１７】
この冷凍装置３０の凝縮器３２は、ハウジング１１の後端部にて左右方向に蛇行させながら上下方向に連続させた蛇行状パイプに上下方向に延びる多数の放熱ワイヤを左右方向に配置して固着したワイヤコンデンサ３２である。ワイヤコンデンサ３２は下部にて蛇行状パイプが互いに連続して前後に２列に並列されており、ハウジング１１の背面体を構成するようにハウジング１１の後端に立設している。ワイヤコンデンサ３２の前側部３２ａの上部には圧縮機３１が接続され、後側部３２ｂの上部にはドライヤ３２ｃを介してキャピラリチューブ３３が接続されている。また、ワイヤコンデンサ３２の前側部３２ａの高さは後側部３２ｂより少し低くなっている。ドライヤ３２ｃはワイヤコンデンサ３２の後側部３２ｂの上部からある程度下側で管部材により接続されており、ワイヤコンデンサ３２から導出された液化冷媒はドライヤ３２ｃを流れやすくなっている。また、ドライヤ３２ｃは冷媒の流入口が上側で流出口を下側として縦方向に配置されているので、液化されなかった冷媒がキャピラリチューブ３３に流入しないようになっている。
【００１８】
冷凍装置３０はワイヤコンデンサ３２を通過する冷媒を冷却するための冷却ファン３５を備えている。冷却ファン３５はハウジング１１の後部の機械室１２にて上下方向の略中間部に配設されており、取付ブラケット３６により冷却水槽２０の後部に固定されている。冷却ファン３５は下側から吸引した空気を上側に吹き出させ、ワイヤコンデンサ３２の隙間を通過させることにより冷媒を冷却する。取付ブラケット３６は板金部材を折り曲げ加工したものであり、冷却水槽２０の後部上面に固定した第１板部３６ａと、第１板部３６ａの後端を冷却水槽２０の周囲の断熱材２１の後面に沿って垂下させた第２板部３６ｂと、第２板部３６ｂの下端を後方に延出させた第３板部３６ｃと、第３板部３６ｃの後端をさらに下側に垂下させた第４板部３６ｄとからなり、この第４板部３６ｄに冷却ファン３５を固定している。取付ブラケット３６は第２板部３６ｂを冷却水槽２０の発泡材よりなる断熱材２１に密着させているので、冷却ファン３５の作動による振動が断熱材２１によって抑制されている。
【００１９】
図２及び図３に示したように、ハウジング１１の後部の機械室１２の上部には冷却ファン３５の送風を後方及び側方に案内する導風板３７が設けられている。導風板３７は、前端部を冷却水槽２０の後部上面に固定して機械室１２の前後方向の略中間部まで延びる第１水平板部３７ａと、第１水平板部３７ａの後端からワイヤコンデンサ３２の前側部３２ａの上端位置まで延びる第１垂直板部３７ｂと、第１垂直板部３７ｂの上端からワイヤコンデンサ３２の後側部３２ｂの直前まで延びる第２水平板部３７ｃと、第２水平板部３７ｃの後端から上方に延びる立ち上がり部３７ｄとを備えている。また、導風板３７は、第１水平板部３７ａの前端からハウジング１１の上面より少し下側まで垂直に上昇する第２垂直板部３７ｅと、第２垂直板部３７ｅの上端から水平に延びるフランジ部３７ｆとを備えている。
【００２０】
導風板３７は、第１水平板部３７ａの前端部が冷却水槽２０の後部上面に固定され、第２水平板部３７ｃの後端部がワイヤコンデンサ３２の前側部３２ａの上面に支持され、前後２箇所で支持されている。また、導風板３７の後端の立ち上がり部３７ｄはワイヤコンデンサ３２の後側部３２ｂの前面側に係止しており、ワイヤコンデンサ３２が前側に傾倒するのを防いでいる。導風板３７の第１水平板部３７ａの上面には冷凍装置３０の作動を制御するコントロールボックス２５が設けられている。コントロールボックス２５は冷却ファン３５による送風が当たる導風板３７の上面に設けられているので、冷却水槽２０の冷熱による結露が生じにくくなっている。また、コントロールボックス２５は冷却ファン３５による送風が下面に当たる導風板３７の上面に設けられているので、冷却ファン３５の送風がコントロールボックス２５に直接当たらないようになり、コントロールボックス２５及びこれに接続される配線に埃等が付着しにくくなっている。
【００２１】
図２に示したように、ハウジング１１の上部には撹拌装置２４と導風板３７の上側を覆うトップカバー２６が設けられている。トップカバー２６は、ハウジング１１の上面を構成するトップパネル１７を取り外したときに、電気部品である撹拌装置２４及びコントロールボックス２５が露出することを防ぎ、ユーザが撹拌装置２４及びコントロールボックス２５に触れないようにするためのものである。また、トップカバー２６は、ハウジング１１の上面から水が漏水しても電気部品である撹拌装置２４及びコントロールボックス２５に水が掛からないようにする機能も有している。トップカバー２６は長方形状をした平板部２６ａの周縁部を下側に折り曲げてフランジ部２６ｂを形成したものである。トップカバー２６の平板部２６ａは撹拌装置２４の前側から導風板３７の第２水平板部３７ｃの後端部まで延び、平板部２６ａの前後方向の中央部が導風板３７のフランジ部３７ｆを介して冷却水槽２０の上部に固定されている。トップカバー２６の前側のフランジ部２６ｂは冷却水槽２０内まで延びており、トップパネル１７を取り外したときに、ユーザが撹拌羽根２４ｄに触れないようにしている。
【００２２】
図２及び図６に示したように、飲料ディスペンサ１０のハウジング１１は、底部を構成して前部に冷却水槽２０と後部に冷凍装置３０とを設置したベース体１３と、左右両側面部を構成する左右一対のサイドパネル１４，１５と、前面部を構成するフロントパネル１６と、背面部を構成する背面体と、天井部を構成するトップパネル１７とを備えている。
【００２３】
ベース体１３は長方形状をした平板部１３ａの周縁部を上側に折り曲げてフランジ部１３ｂを形成したものであり、平板部１３ａの前部に断熱材２１を取り付けた冷却水槽２０を設置し、後部に蒸発管３４を除いた冷凍装置３０を設置している。図２及び図４に示したように、ベース体１３の後端部に設けたワイヤコンデンサ３２はハウジング１１の背面体を構成するものであり、ワイヤコンデンサ３２は左右一対の固定ブラケット２７によりベース体１３の後端部に固定されている。図４に示したように、固定ブラケット２７は垂直部２７ａの上下端を後方に折り曲げて上下に水平部２７ｂ，２７ｃを形成したコ字形の金具である。固定ブラケット２７は下側の水平部２７ｃをベース体１３の平板部１３ａの後端部にねじにより固定し、固定ブラケット２７の垂直部２７ａにワイヤコンデンサ３２をねじにより固定している。
【００２４】
図２，図５及び図６に示したように、サイドパネル１４，１５は冷却水槽２０と機械室１２の側部を覆うものである。サイドパネル１４，１５は、下端部（下部）がベース体１３の左右のフランジ部１３ｂに各々２つのねじにより固定され、上端部（上部）がトップカバー２６の左右のフランジ部２６ｂに各々２つのねじにより固定されている。図５に示したように、サイドパネル１４，１５の前端部の内面には前側傾倒防止部としてフロントパネル１６の左右方向の端部を係合させる上下方向に延びる溝部１４ａ，１５ａが形成されている。サイドパネル１４，１５の後端部の内面には内側、すなわち互いに向き合う方向に延び、ワイヤコンデンサ（背面体）３２の後面の左右方向の端部に係止してワイヤコンデンサ（背面体）３２が後側に傾倒するのを防ぐ後側傾倒防止部１４ｂ，１５ｂが形成されている。
【００２５】
サイドパネル１４，１５の前半部は冷却水槽２０の断熱材２１から離間するように外側に張り出した張出部１４ｃ，１５ｃが形成されている。また、サイドパネル１４，１５の張出部１４ｃ，１５ｃの内面には冷却水槽２０の断熱材２１との間を離間した状態を維持して断熱空間を形成するための多数のリブ１４ｄ，１５ｄが形成されている。
【００２６】
また、サイドパネル１４，１５は上下対称な形状をしており、機械室１２の側部を覆う後半部には上下対称な位置に上下一対の通気口１４ｅ，１４ｅ及び１５ｅ，１５ｅが形成されている。このうち、サイドパネル１４，１５の内面には下側の通気口１４ｅ，１５ｅを塞ぐ位置に遮蔽板１４ｆ，１５ｆが着脱可能に取り付けられている。遮蔽板１４ｆ，１５ｆはサイドパネル１４，１５の内面にて通気口１４ｅ，１５ｅの外側に設けた爪部により着脱可能に取り付けられている。なお、冷却ファン３５による送風の方向により、サイドパネル１４，１５の上側の通気口１４ｅ，１５ｅを塞ぐ位置に遮蔽板１４ｆ，１５ｆを着脱可能に取り付けてもよい。
【００２７】
サイドパネル１４，１５の後端部には上端部及び下端部にワイヤコンデンサ３２より後方に突出する突出部１４ｇ，１５ｇが形成されており、突出部１４ｇ，１５ｇはハウジング１１の背面体を構成するワイヤコンデンサ３２が設置場所の壁面に通気できないように密着して設置されるのを防ぐ機能を有している。
【００２８】
フロントパネル１６は冷却水槽２０の断熱材２１の前面に密着した状態で、左右方向の両端部がサイドパネル１４，１５の前端部の溝部１４ａ，１５ａに係合して固定されている。フロントパネル１６の前面上部には注出コック２３が設けられており、この注出コック２３はフロントパネル１６を挟むようにして冷却水槽２０の前側上部に固定されている。フロントパネル１６の前面下部にはドレンパン１８が設けられており、ドレンパン１８はフロントパネル１６を挟むようにしてベース体１３の前側のフランジ部１３ｂにねじにより固定さている。
【００２９】
トップパネル１７は長方形状の天板部１７ａと、天板部１７ａの前端縁及び後端縁を下方に折り曲げた折曲部１７ｂとを有している。トップパネル１７は天板部１７ａの左右両縁が左右のサイドパネル１４，１５の内側縁部に載置されて支持されている。トップパネル１７の天板部１７ａはトップカバー２６の平板部２６ａとの間に隙間が設けられており、冷却水槽２０の冷熱はこの隙間によってトップパネル１７に伝わりにくくなり、トップパネル１７に結露が生じにくくなっている。また、トップカバー２６及び導風板３７はサイドパネル１４，１５との間に隙間が設けられており、冷凍装置３０の冷却ファン３５の送風がトップカバー２６、導風板３７とサイドパネル１４，１５との間の隙間を通って、トップパネル１７とトップカバー２６との間の隙間に送られるので、トップパネル１７とトップカバー２６との間の隙間に空気が滞留しにくくなり、トップパネル１７に結露がさらに生じにくくなっている。
【００３０】
上記のように構成した飲料ディスペンサ１０の作動について説明する。飲料ディスペンサ１０の冷凍装置３０の作動により、圧縮機３１から圧送された冷媒ガスが凝縮器であるワイヤコンデンサ３２で冷却されて液化冷媒となり、この液化冷媒がキャピラリチューブ３３を通過するときに膨張し、膨張した液化冷媒が蒸発管３４を通過するときに冷却水槽２０内の冷却水と熱交換することにより気化してから圧縮機３１に戻る。このとき、冷却水槽２０内の冷却水は蒸発管３４の周囲で徐々に冷却され、蒸発管３４の周囲で所定の厚みの氷層が形成される。
【００３１】
飲料冷却管２２には炭酸ガスボンベ（図示しない）から供給される炭酸ガスの圧力が加えられた状態のビア樽等の飲料容器（図示しない）が接続されており、注出コック２３の操作レバーを操作して注出ノズルから飲料を注出すると、ビア樽等の飲料容器から炭酸ガスの圧力により押し出された飲料が飲料冷却管２２を通って注出コック２３から注出される。このとき、飲料冷却管２２を通過する飲料は冷却水槽２０内の冷却水と熱交換して冷却される。
【００３２】
上記のように構成した飲料ディスペンサ１０においては、ハウジング１１は、底部を構成して冷却水槽２０と冷凍装置３０と設置するベース体１３と、左右両側面部を構成する左右一対のサイドパネル１４，１５と、前面部を構成するフロントパネル１６と、背面部を構成するワイヤコンデンサ（背面体）３２とを備えている。左右一対のサイドパネル１４，１５には、前端部に前側傾倒防止部としてフロントパネル１６の左右方向の端部に係合する上下方向に延びる溝部１４ａ，１５ａと、後端部にワイヤコンデンサ（背面体）３２の後面の左右方向の端部に係止してワイヤコンデンサ（背面体）３２が後側に傾倒するのを防ぐ後側傾倒防止部１４ｂ，１５ｂとを備え、フロントパネル１６の左右方向の端部を溝部１４ａ，１５ａに係合させるとともに、ワイヤコンデンサ（背面体）３２の後面の左右方向の端部を後側傾倒防止部１４ｂ，１５ｂにより係止させた状態で、左右一対のサイドパネル１４，１５の下部をベース体１３のフランジ部１３ｂにねじにより固定した。
【００３３】
このように、フロントパネル１６とワイヤコンデンサ（背面体）３２とを挟持した状態で左右一対のサイドパネル１４，１５をベース体１３にねじで固定することで、サイドパネル１４，１５によってフロントパネル１６とワイヤコンデンサ（背面体）３２とを同時に位置決め固定できるようになり、ハウジング１１の取り付け作業の作業性が向上した。特に、前側傾倒防止部(一方の傾倒防止部)だけを溝部１４ａ，１５ａとしたことで、フロントパネル１６を溝部１４ａ，１５ａに軽く差し込んでから、ワイヤコンデンサ（背面体）３２を比較的余裕のある状態で残る後側傾倒防止部１４ｂ，１５ｂに係止させるようにすることで、左右一対のサイドパネル１４，１５の間にフロントパネル１６及びワイヤコンデンサ（背面体）３２を挟持させる作業性が向上した。また、サイドパネル１４，１５の少なくとも一方をベース体１３から取り外せば、ハウジング１１内の側部を大きく開放することができ、ハウジング１１内の機器を保守点検しやすくできた。さらに、ハウジング１１の周壁は、フロントパネル１６と背面体３２とサイドパネル１４，１５とからなり、従来の前面と左右側面と背面左右両端部とを構成して１枚の板金部材を折り曲げて形成した周面パネルと、背面の残る部分を構成する背面パネルとを組み合わせたものに比べて製造コストを低く抑えることができた。なお、ハウジング１１の背面体にはワイヤコンデンサ３２を用いたが、板状のパネルを背面体に用いたものであっても同様の作用効果を得ることができる。
【００３４】
なお、ワイヤコンデンサ（背面体）３２は下端部を固定ブラケット２７と上端部を導風板３７によって内部の構造物により前側に傾倒するのを防がれ、サイドパネル１４，１５の後側傾倒防止部１４ｂ，１５ｂにより後側に傾倒するのを防がれている。これに限られるものでなく、サイドパネル１４，１５の後端部に上下方向に延びてワイヤコンデンサ（背面体）３２の左右方向の端部が係合する溝部を形成し、溝部によってワイヤコンデンサ（背面体）３２が前後に傾倒するのを防ぐようにしてもよい。この場合には、前側傾倒防止部を溝部１４ａ，１５ａに代えて、サイドパネル１４，１５の前端部の内面から互いに向き合う方向に延び、フロントパネル１６の前面の左右方向の端部に係止してフロントパネル１６が前側に傾倒するのを防ぐようにしてもよい。この場合には、フロントパネル１６は冷却水槽２０の前壁の断熱材２１に当接して後側に傾倒するのを防がれている。また、前側及び後側傾倒防止部の両方に溝部を採用せず、前側傾倒防止部によりフロントパネル１６の前面の左右方向の端部に係止させ、後側傾倒防止部により背面体の後面の左右方向の端部に係止させるようにしてもよい。この場合にはフロントパネル１６を冷却水槽２０等の内部の構造物により後側に傾倒しないようにし、背面体を導風板３７等の内部の構造物により前側に傾倒しないようにするのがよい。
【００３５】
また、左右一対のサイドパネル１４，１５の下部はベース体１３のフランジ部１３ｂにねじにより固定され、上部は冷却水槽２０の上部に固定したトップカバー２６の左右のフランジ部２６ｂにねじにより固定されている。これにより、サイドパネル１４，１５の上部が外側に撓むことなく強固に固定されるようになった。
【００３６】
また、冷凍装置３０の凝縮器には左右方向に蛇行させた蛇行状パイプに放熱ワイヤを溶接したワイヤコンデンサ３２を用い、このワイヤコンデンサ３２をハウジング１１の背面体に用いた。これにより、ハウジング１１の背面体に板状のパネルを用いたときと比べて部品点数を減らすことができるとともに、ワイヤコンデンサ３２が外側に露出することで放熱効果を増加させることができた。ワイヤコンデンサ３２は前側部３２ａに冷媒の入口側となるように圧縮機３１を接続し、後側部３２ｂに冷媒の出口側となるようにキャピラリチューブ３３を接続したので、温度が高くなる前側部３２ａを外側に露出させることがなく、ユーザが温度の高い前側部３２ａを触れる危険性が低下した。
【００３７】
また、左右一対のサイドパネル１４，１５は上下対称な形状をして上下対称な位置に上下一対の通気口１４ｅ，１４ｅ及び１５ｅ，１５ｅを形成し、上下一対の通気口１４ｅ，１４ｅ及び１５ｅ，１５ｅの一方として下側の通気口１４ｅ，１５ｅにはこれを塞ぐ遮蔽板１４ｆ，１５ｆを着脱可能に取り付けた。このようにしたことで、左右のサイドパネル１４，１５を共通の部品として用いることができた。また、遮蔽板１４ｆ，１５ｆを上下一対の通気口１４ｅ，１４ｅ及び１５ｅ，１５ｅの一方に着脱可能としたことで、設置場所または冷却ファン３５の送風方向等に応じて通気口１４ｅ，１５ｅを上下に変更可能とすることができた。なお、上下一対の通気口１４ｅ，１４ｅ及び１５ｅ，１５ｅは上下に分かれたものであるが、これに限られるものでなく、上下一対の通気口１４ｅ，１４ｅ及び１５ｅ，１５ｅを上下に連続させたものであってもよい。
【００３８】
また、ハウジング１１の背面体はワイヤコンデンサ３２を用いたものであり、ワイヤコンデンサ３２はハウジング１１の外部に対して通気を要するものである。左右一対のサイドパネル１４，１５の後端部には上端部と下端部にワイヤコンデンサ３２より後方に突出する突出部１４ｇ，１５ｇが設けられているので、ハウジング１１の背面体を構成するワイヤコンデンサ３２が設置場所の壁面に通気できないように密着して設置されるのを防ぐことができた。また、飲料ディスペンサ１０の背面側を設置場所の壁面に向けて押しつけても、サイドパネル１４，１５の突出部１４ｇ，１５ｇが設置場所の壁面に当接するため、背面体を構成するワイヤコンデンサ３２が壁面にぶつかって破損するおそれがない。なお、ハウジング１１の背面体に通気口を形成した板状のパネルを用いたときでも上述したのと同様の作用効果を得ることができる。
【００３９】
上記のように構成した飲料ディスペンサ１０においては、ハウジング１１のベース体１３の前部に冷却水槽２０と後部に冷凍装置３０とを設置したが、本発明はこれに限られるものでなく、ベース体１３の下部に冷凍装置３０と上部に冷却水槽２０を設置したものであってもよく、このようにしたときにも上述したのと同様の作用効果を得ることができる。
【符号の説明】
【００４０】
１０…飲料ディスペンサ、１１…ハウジング、１３…ベース体、１４，１５…サイドパネル、１４ａ，１５ａ…溝、１４ｂ，１５ｂ…傾倒防止部、２０…冷却水槽、２６…トップカバー、３０…冷凍装置、３２…背面体（ワイヤコンデンサ）。
【図１】
2015034039.tif 000003
【図２】
2015034039.tif 000004
【図３】
2015034039.tif 000005
【図４】
2015034039.tif 000006
【図５】
2015034039.tif 000007
【図６】
2015034039.tif 000008